(57)【要約】【課題】特殊な洗浄液を用いることなく髭そりくずや皮膚の油脂を能率良く除去でき、悪臭発生を防ぎ、積極的使用を促進できる。【解決手段】電気かみそり１８のヘッド部４０に洗浄液を流してヘッド部４０を洗浄する電気かみそりの洗浄器において、ヘッド部４０を保持する洗浄器本体１０と、この洗浄器本体１０に装填され洗浄液を収容する洗浄液タンク１４と、洗浄器本体１０に設けられこの洗浄液タンク１４から洗浄液をヘッド部４０に導くパイプ３０と、パイプ３０を通る洗浄液を加熱するヒーター３８と、ヘッド部４０を洗浄した汚れた洗浄液を排出する排液手段４６と、を備える。【選択図】図１
2008061880.tif 000002
【特許請求の範囲】
【請求項１】
電気かみそりのヘッド部に洗浄液を流して前記ヘッド部を洗浄する電気かみそりの洗浄器において、
前記ヘッド部を保持する洗浄器本体と、この洗浄器本体に装填され前記洗浄液を収容する洗浄液タンクと、前記洗浄器本体に設けられこの洗浄液タンクから洗浄液を前記ヘッド部に導くパイプと、前記パイプを通る洗浄液を加熱するヒーターと、前記ヘッド部を洗浄した汚れた洗浄液を排出する排液手段と、
を備えることを特徴とする電気かみそりの洗浄器。
【請求項２】
排液手段はヘッド部を洗浄して自然落下する洗浄液をためる排液タンクである請求項１の電気かみそりの洗浄器。
【請求項３】
排液タンクは洗浄器本体に対して着脱可能である請求項２の電気かみそりの洗浄器。
【請求項４】
請求項１〜３のいずれかにおいて、
洗浄器本体はヘッド部を下向きにして電気かみそりを保持すると共に前記ヘッド部を下方から囲む洗浄皿を持ち、前記ヘッド部を洗浄した汚れた洗浄液は前記洗浄皿で集められて排液手段に導かれる電気かみそりの洗浄器。
【請求項５】
電気かみそりのヘッド部にその内部と外部とを連通する注液口を備え、洗浄液は前記注液口からヘッド部内へ流入する請求項１〜４のいずれかの電気かみそりの洗浄器。
【請求項６】
洗浄皿はその底部に設けた排液口とその上方に設けたオーバーフロー口とを持ち、前記洗浄皿にたまる洗浄済み洗浄液の液面が一定以下の時には前記排液口から、また液面が一定以上の時には前記排液口およびオーバーフロー口の両方から汚れた洗浄液が排出される請求項４の電気かみそりの洗浄器。
【請求項７】
洗浄液タンクから洗浄液をヘッド部に導くパイプに、洗浄液を送る洗浄液輸送手段を備える請求項１〜６のいずれかの電気かみそりの洗浄器。
【請求項８】
洗浄液輸送手段は、パイプの途中であって洗浄液タンクより低い位置で洗浄液を加熱するヒーターと、前記パイプの前記洗浄液タンクとヒーターとの間に設けられた逆止弁とで形成される請求項７の電気かみそりの洗浄器。
【請求項９】
洗浄液輸送手段は、洗浄液を洗浄液タンクからヘッド部に導くパイプの途中に設けた電動ポンプで形成される請求項７の電気かみそりの洗浄器。
【請求項１０】
パイプはその一部が洗浄液タンクの最高液面よりも高い位置を通るように折曲されている請求項１〜９のいずれかの電気かみそりの洗浄器。
【請求項１１】
パイプには洗浄液タンクから洗浄液の流出を断続する開閉弁が取付けられている請求項１〜９のいずれかの電気かみそりの洗浄器。
【請求項１２】
ヘッド部に導かれる洗浄液の温度およびヒーター温度の少なくとも一方を検出する温度センサと、この温度センサで検出した温度を目標設定温度にするようにヒーターを制御するヒーター制御部を持つ請求項１〜１１のいずれかの電気かみそりの洗浄器。
【請求項１３】
ヘッド部に導かれる洗浄液の温度を検出する温度センサと、この温度センサで検出した洗浄液温度を目標設定温度にするように電動ポンプを制御するポンプ制御部を備える請求項９の電気かみそりの洗浄器。
【請求項１４】
請求項１〜１３のいずれかにおいて、ヘッド部の洗浄後にヘッド部を乾燥する乾燥手段を備える電気かみそりの洗浄器。
【請求項１５】
乾燥手段は、ヘッド部を加熱するヒーターである請求項１４の電気かみそりの洗浄器。
【請求項１６】
洗浄液を加熱するヒーターは、乾燥手段のヒーターを兼ねる請求項１５の電気かみそりの洗浄器。
【請求項１７】
乾燥手段は、ヘッド部に温風を送る送風器を備える請求項１４の電気かみそりの洗浄器。
【請求項１８】
送風器は、洗浄液を加熱するヒーターで加熱された温風をヘッド部に送る請求項１７の電気かみそりの洗浄器。
【請求項１９】
洗浄器本体に保持した電気かみそりを洗浄中に所定時間電源投入しヘッド部を作動させる制御部を持つ請求項１〜１８のいずれかの電気かみそりの洗浄器。
【請求項２０】
請求項１４〜１８のいずれかにおいて、電気かみそりの洗浄中に所定時間電気かみそりの電源を投入しヘッド部を作動させると共に、洗浄後に乾燥手段を所定時間作動させる制御部を持つ電気かみそりの洗浄器。
【請求項２１】
洗浄液は洗剤を含む水溶液である請求項１〜２０のいずれかの電気かみそりの洗浄器。
【発明の詳細な説明】
【技術分野】
【０００１】
この発明は、電気かみそりのヘッド部にたまる髭そりかすや皮膚の油脂を洗浄液で洗浄する電気かみそりの洗浄器に関するものである。
【背景技術】
【０００２】
電気かみそりのヘッド部を下向きにしてバスケットに保持し、洗浄タンクから洗浄液をヘッド部に送り、ヘッド部を通った洗浄液を同じ洗浄液にタンクに戻して循環させるようにした洗浄装置が提案されている。
【０００３】
【特許文献１】特表２００１−５１２３３７
【発明の開示】
【発明が解決しようとする課題】
【０００４】
この特許文献１に示されたものでは、常温の洗浄液をタンクとヘッド部との間で循環させる。しかしヘッド部内の外刃や内刃には髭そりくずと共に皮膚の油脂も付着し、この油脂で微細な髭そりくずがほぼ固形状に固まっているため、常温の洗浄液に浸けただけではこのような頑固な汚れは簡単には除去することができない。このため洗浄力が強い特殊な洗浄液を使う必要が生じ、使用者にとっては特別に用意された洗浄液を購入する必要が生じて不便であるばかりでなく費用がかかるという問題がある。
【０００５】
また洗浄液は循環させて繰り返し使用するため、洗浄液から悪臭が発生するようになり、使用者の積極的な使用の妨げともなっていた。ここに洗浄液を循環させるときにはフィルタに通しているが、フィルタを通しても洗浄液に溶けた汚れ成分を十分に除去することは困難であり、ヘッド部の洗浄が不十分になるという問題もあった。
【０００６】
なお特殊な洗浄液に代えて普通の水や水と中性洗剤との混合液を使うことも考えられる。しかし常温の水やこの洗剤との混合液をヘッド部に導いても皮膚の油脂はかえって固まってしまい、除去するのは不可能または極めて能率が悪いことが解った。
【０００７】
この発明はこのような事情に鑑みなされたものであり、特殊な洗浄液を用いることなく髭そりくずや皮膚の油脂を能率良く除去することができ、使用者は特殊な洗浄液を購入する不便がなくなり、悪臭が発生せず、使用者の積極的使用を促進させることができる電気かみそりの洗浄器を提供することを目的とするものである。
【課題を解決するための手段】
【０００８】
この発明によればこの目的は、電気かみそりのヘッド部に洗浄液を流して前記ヘッド部を洗浄する電気かみそりの洗浄器において、前記ヘッド部を保持する洗浄器本体と、この洗浄器本体に装填され前記洗浄液を収容する洗浄液タンクと、前記洗浄器本体に設けられこの洗浄液タンクから洗浄液を前記ヘッド部に導くパイプと、前記パイプを通る洗浄液を加熱するヒーターと、前記ヘッド部を洗浄した汚れた洗浄液を排出する排液手段と、を備えることを特徴とする電気かみそりの洗浄器、により達成される。
【発明の効果】
【０００９】
この発明によれば、洗浄液をヒーターで加熱してヘッド部に導くから、この高温の洗浄液はヘッド部内に付着した皮膚の油脂を加熱して柔らかくして溶かし、洗浄液と共に容易に流出させることができる。このため能率良くヘッド部を洗浄することができる。この場合には単純な水や一般に使用する中性洗剤の水溶液を洗浄液として使用することができるので、特殊な洗浄液を購入する不便が無く、安価でもある。
【００１０】
またヘッド部を洗浄した後の汚れた洗浄液は排液手段によって排出され、循環使用しないから、洗浄液から悪臭が発生することがなく、使用者の積極的な使用を促進させることができる。
【発明を実施するための最良の形態】
【００１１】
排液手段は、ヘッド部を洗浄しながら通過した汚れた洗浄液を、外に排出するためのパイプなどの通路で形成してもよいが、ヘッド部から自然落下する汚れた洗浄液をためる排液タンクとしてもよい（請求項２）。このようにすれば排液の廃棄が簡単である。この排液タンクは洗浄器本体に対して着脱可能としておけば、排液（汚れた洗浄液）を棄てるのに一層都合がよい（請求項３）。
【００１２】
ヘッド部を通った汚れた洗浄液を集めて排液手段（排液タンクを含む）に導くためには、ヘッド部を下向きにして電気かみそりを保持し、このヘッド部を下方から囲む洗浄皿に汚れた洗浄液を集めて排液手段に導くのがよい（請求項４）。なお洗浄皿はヘッド部が全部入るカップ状、バスケット状など種々の形状のものを含む。
【００１３】
洗浄液を洗浄皿に一定液面まで入れ、ここにヘッド部を上から浸して入れる方式（この方式を以下浸漬方式という。）とすることができる。またヘッド部にその内側と外側を連通する注液口を設けておき、この注液口から新しいきれいな洗浄液をヘッド部内に流入させることによりヘッド部の内部を洗浄し、汚れた洗浄液を外刃のスリットや髭進入孔を通して排出する方式（この方式を以下内部注液方式という。）とすることもできる（請求項５）。
【００１４】
前記浸漬方式の場合には、洗浄皿の底部に排液口を設けると共に、洗浄液が洗浄皿から溢れるのを防ぐために排液口より上方にオーバーフロー口を設け、洗浄液の液面がこのオーバーフロー口より高くなるのを防ぐのがよい（請求項６）。このオーバーフロー口からオーバーフローした洗浄液は排液手段により排出される。
【００１５】
洗浄液タンクから洗浄液をヘッド部に導くためには、洗浄液タンクの位置をヘッド部より高くして自然落下により流下させるようにしてもよい。しかし洗浄液タンクとヘッド部とをつなぐパイプの途中に洗浄液輸送手段を別途設ければ、洗浄液タンクとヘッド部の高さを自由に設定でき、設計自由度が増える（請求項７）。
【００１６】
この洗浄液輸送手段は、例えばパイプの途中であって洗浄液タンクより低い位置に洗浄液を加熱するヒーターを設け、このヒーターの上流側（洗浄液タンク側）に逆止弁を設けることとで形成することができる（請求項８）。この場合は、パイプ内の洗浄液がヒーターで加熱されて沸騰し、ヘッド部へ押し出される（噴出される）一方、新しい洗浄液は洗浄液タンクの液面とヒーターの位置との水頭差（液面の高さの差）によって逆止弁を開きヒーターの位置に流れるものである。このようにヒーターと逆止弁とを用いる洗浄液輸送手段に代えて、電動ポンプを用いてもよい（請求項９）。この場合には洗浄液タンクとヒーターとの高さを自由に設定することができ、設計自由度が増える。
【００１７】
洗浄器の使用中または不使用中に洗浄液タンクから意に反して新しい洗浄液がヘッド部に流出するのを防ぎ、またヘッド部から汚れた洗浄液が洗浄液タンクに逆流するのを防ぐためには、パイプの一部（例えばパイプのヒーターより下流側の一部）を洗浄液タンクの最高液面よりも高い位置を通るように折曲しておけばよい（請求項１０）。またパイプの途中に、例えば電磁式などの開閉弁（電磁開閉弁）を設けてもよい（請求項１１）。
【００１８】
ヒーターで加熱する洗浄液の温度やヒーター温度は目標設定温度に保持するように制御するのが望ましい。例えばヘッド部に出る洗浄液の温度やヒーター温度の少なくとも一方を温度センサで検出し、この温度が一定（目標設定温度）になるようにヒーターの発熱量を制御すればよい（請求項１２）。また洗浄液輸送手段を電動ポンプで形成する場合は、このポンプの吐出量（液送出量）を制御することによって洗浄液の温度を制御してもよい（請求項１３）。さらにヒーター発熱量と電動ポンプの吐出量との両方を制御してもよい。
【００１９】
ヘッド部の洗浄後にヘッド部を乾燥する手段を設けておけば、電気かみそりは洗浄後短時間で使用可能になり便利である（請求項１４）。この乾燥手段は、ヘッド部を加熱するために別途設けたヒーターで形成することができる（請求項１５）。この乾燥用のヒーターは洗浄液を加熱するヒーターと兼用することができる（請求項１６）。乾燥手段はヘッド部に温風を送る送風器を備えるものでもよい（請求項１７）。この送風器は、洗浄液を加熱するヒーターで加熱されたヒーター周囲の空気である温風（空気）をヘッド部に送るものであってもよい（請求項１８）。
【００２０】
電気かみそりは洗浄中に所定時間電源投入して電気かみそりのヘッド部を作動状態にするように制御するのがよい（請求項１９）。この場合はヘッド部内の内刃が回転（ロータリー式の場合）あるいは往復（往復式の場合）するので、ヘッド部の洗浄が促進され、洗浄時間の短縮が可能である。ここに用いる制御部は洗浄器本体に設けた制御部を電気かみそりに接続し、この本体側の制御部によって電気かみそりの作動と洗浄器の制御（ヒーターの発熱量や作動時間など）とを行うのがよい。この制御部で乾燥手段の動作時間などを制御してもよい（請求項２０）。
【００２１】
洗浄液は普通の水であってもよく、この場合は使用者は水道水などを使用できて便利であり、汚れた洗浄液の処理も簡単である。しかし水に中性洗剤などの洗剤を加えた水溶液であってもよい（請求項２１）。
【実施例１】
【００２２】
図１は本発明の一実施例の洗浄開始前を示す側断面図、図２は同じくその洗浄中を一部省いて示す側断面図、図３はその配線概略図、図４は動作流れ図である。図１、２において符号１０は洗浄器本体である。この洗浄器本体１０は上面の中央付近に起立部１２を持ち、この起立部１２の後方に洗浄液タンク１４を収容するための凹部１６が形成され、起立部１２の前方に電気かみそり（ひげそり）１８をセットするための洗浄皿２０が配設されている。
【００２３】
洗浄液タンク１４は、底面に弁２２を持ち、洗浄液タンク１４を凹部１６にセットした時にこの弁２２が開いて中の洗浄液を洗浄皿２０に供給可能にすると共に、洗浄液タンク１４を凹部１６から取外した時にこの弁２２が閉じて洗浄液タンク１４の洗浄液が流出するのを防止する。
【００２４】
この弁２２は、洗浄液タンク１４の底面を貫通し通常（洗浄液タンク１４を凹部１６から取外した状態で）はこの弁２２を閉じている弁体２４と、凹部１６に装着した状態でこの弁体２４を押し上げて弁２２を開く凸起２６とを持つ。なお洗浄液タンク１４の底面と凹部１６との対向面間には、弁２２が開いた時に洗浄液が漏れ出るのを防ぐため液密な液室２８が形成されている。洗浄液はこの液室２８からパイプ３０によって洗浄皿２０に導かれる。
【００２５】
パイプ３０はステンレスなどの金属製であり、一端が逆止弁３２を介して液室２８に接続され、この逆止弁３２から洗浄皿２０の下方にほぼ水平に延びて往復し、さらに起立部１２内に立上がって上端３４で反転した後下降し、洗浄皿２０の壁を貫通して洗浄皿２０内に連通している。洗浄皿２０の下方で往復する水平部３６には電気ヒーター３８が取付けられている。このヒーター３８で加熱された洗浄液の温度あるいはヒーター３８の温度は温度センサ３９によって検出される。
【００２６】
電気かみそり１８はそのヘッド部４０を下にして、すなわち上下逆にして、洗浄皿２０に上方から挿入される。洗浄皿２０の底にはヘッド部４０を位置決めするための適宜数の突起４２，４２が設けられている。この電気かみそり１８はロータリー刃を持つものであっても、往復刃を持つものであってもよいが、電気かみそり１８に対応して洗浄皿２０も寸法や形状などが異なる。
【００２７】
洗浄皿２０はその底面に排液口４４を持ち、この排液口４４はパイプ３０の水平部３６やヒーター３８との干渉を避けながら下方へ延びている。洗浄器本体１０の下部には排液タンク４６が着脱可能に装填されている。この排液タンク４６は洗浄器本体１０の底面と平行に引き出し可能であり、その装填した状態で前記排液口４４の下方に臨む開口４８が上面に形成されている。このため排液（洗浄を終わって汚れた洗浄液）は洗浄皿２０から排液口４４およびこの開口４８を通って排液タンク４６に入り、ここにたまる。
【００２８】
電気かみそり１８の下端（すなわちヘッド部４０と反対側の端であって図１，２では上下逆にセットされているので上端に位置する。）には、電気接続用アクセプタ（端子受け）５０が設けられている。このアクセプタ（端子受け）５０には、通常は電気かみそり１８に内蔵する電池を充電する時に充電器（図示せず）の充電プラグを接続する。
【００２９】
このアクセプタ５０には、洗浄器本体１０にセットした状態で、洗浄器本体１０に設けたプラグ５２が接続可能である。すなわち洗浄器本体１０の起立部１２には、上方に（あるいはプラグ５２の着脱方向に）スライド可能なプラグ支持体５４が保持され、このプラグ支持体５４に取付けたプラグ５２がプラグ支持体５４の上下動に伴ってアクセプタ５０に着脱可能である。図１はプラグ５２をアクセプタ５０から抜いた状態を、図２は接続した状態を示している。
【００３０】
なおプラグ支持体５４の移動位置からプラグ５２とアクセプタ５０の接続を検出するマイクロスイッチからなるセンサ５６が起立部１２に取付けられている。すなわちこのセンサ５６は、プラグ支持体５４が下方に移動してプラグ５２をアクセプタ５０に接続した位置で、プラグ支持体５４に設けたカム５８がセンサ５６の接触子を押してセンサ５６をオンにする。また起立部１２の上面には手動のスタートスイッチ６０が取付けられている。カム５８とセンサ５６に代えて、プラグ５２とアクセプタ５０の接続を後記する制御部６２で電気的に検出してもよい。
【００３１】
図１で６２は制御部であり、ＣＰＵ（マイクロコンピュータ）や、電源回路や、ヒーター制御部６３となるヒーター温度制御回路や、種々の入出力インターフェースなどで構成される。電源回路は商用電源を電源とし、ＣＰＵの定電圧電源、ヒーター３８の電源、電気かみそり１８の駆動電源となる。この制御部６２には、図３に示すように、スタートスイッチ６０、温度センサ３９、センサ５６などの出力が入力され、ヒーター制御部６３でヒーター３８の発熱量を制御し、また電気かみそり１８の作動など洗浄器全体を制御する。
【００３２】
図４はこの制御部６２の制御例を示す動作流れ図である。まず洗浄動作をスタートすることをスタートスイッチ６０のオンから検出すると（図４のステップＳ１００）、制御部６２が作動を開始する。まずＣＰＵは、電動かみそり１８がセットされているか否かをプラグ支持部５４の位置を検出するセンサ５６から判断し（ステップＳ１０２）、セットが完了していればヒーター３８による加熱を開始させる（ステップＳ１０４）。
【００３３】
ＣＰＵは温度センサ３９を常に監視し、ヒーター温度あるいは洗浄液温度が一定温度に達すれば（ステップＳ１０６）、電気かみそり１８のモータをスタートさせて作動させる（ステップＳ１０８）。またヒーター温度あるいは洗浄液温度が上昇し過ぎた時（過熱時）には（ステップＳ１１０）、ヒーター（３８）の加熱を止め、あるいはヒーター３８の電流を減らし（ステップＳ１１２）、ヒーター温度が適正範囲に戻るのを待つが、その間は電気かみそり１８は駆動し続ける。またＣＰＵは洗浄時間を常に監視し続け（ステップＳ１１４）、設定時間を経過すると電源をオフとして洗浄を終了する。
【００３４】
洗浄液は洗浄液タンク１４から自然落下によって（すなわち洗浄液タンクの液面との水頭差によって）逆止弁３２を通してパイプ３０の水平部３６内に入り、ヒーター３８で加熱される。洗浄液はこのヒーター３８の加熱により沸騰すると、パイプ３０の上端３４に上昇してパイプ３０の先端の噴出口３０Ａから洗浄皿２０内に噴出される。水平部３６内の洗浄液が減ると前記水頭差によって洗浄液タンク１４から新しい洗浄水が逆止弁３２を通り水平部３６に流入する。このように新しい洗浄液は連続的にあるいは間欠的にパイプ３０に入り、ヒーター３８で加熱され沸騰して洗浄皿２０に連続的あるいは間欠的に噴射され続ける。
【００３５】
洗浄皿２０内で加熱した洗浄液が電気かみそり１８のヘッド部４０に入り、ヘッド部４０内に付着した皮膚油脂を熱で溶かしながら髭そりくずと共に洗浄皿２０内に排出する。この汚れた洗浄液は洗浄皿２０の排液口４４から排液タンク４６に入り、ここにたまる。洗浄中は電気かみそり１８のモータが駆動されるので、内刃が回転あるいは往復動し、汚れの洗浄を一層能率良く行うことができる。
【００３６】
なおパイプ３０は洗浄液タンク１４の最高液面よりも高い上端３４を通るように折曲したので、洗浄液タンク１４と洗浄皿２０（パイプ３０の噴出口３０Ａ）との水頭差によって洗浄液タンク１４から洗浄液が洗浄皿２０に流出することがない。また逆に洗浄皿２０内の汚れた洗浄液が洗浄液タンク１４に逆流することもない。
【実施例２】
【００３７】
図５は他の実施例を示す側断面図である。この実施例２は、乾燥手段としての送風器７０を設け、洗浄後にヘッド部４０に温風を送ってヘッド部４０を速やかに乾燥させるものである。すなわち前記図１〜４に示した実施例１において、ヒーター３８により暖められた周囲の空気（温風）をガイド板７２によって送風器７０に導き、さらに洗浄皿２０内に流すことによりヘッド部４０を加熱し乾燥させるものである。
【００３８】
この場合、制御部６２Ａは洗浄液によるヘッド部４０の洗浄後、ヒーター３８の温度を下げるかヒーター３８の電力を遮断して送風器７０だけを所定時間作動させ、ヘッド部４０を乾燥した後全ての洗浄行程を終わらせる。なおこの実施例２の電気回路は前記実施例１と基本的にほぼ同じであるから、この図３にこの送風器７０や制御部６２Ａを加筆しておく。
【００３９】
なお洗浄器本体１０には、ヒーター３８に外気を吸入する吸気孔７４を設けておく。またこの図５においては図１と同一部分に同一符号を付したのでその説明は繰り返さない。
【実施例３】
【００４０】
図６は他の実施例を示す側断面図である。この実施例３はパイプ３０を洗浄液タンク１４の最高液面より高い位置である上端３４で折曲するのに代えて、電磁開閉弁８０を設けたものである。制御部６２Ｂは通常（非洗浄時）は電磁開閉弁８０を閉じ、洗浄時に電磁開閉弁８０を開きヒーター３８を加熱させる。この制御部６２Ｂは前記実施例１、２の制御部６２、６２Ａと同様にヒーター３８や洗浄器全体を制御する。
【００４１】
ヒーター３８の発熱によりパイプ３０内の洗浄液は沸騰して洗浄皿２０に熱湯および蒸気を噴出する。これに伴い新しい洗浄液が洗浄液タンク１４から電磁開閉弁８０、逆止弁３２を通してパイプ３０に流入し、以上の動作を連続的あるいは間欠的に繰り返す。そして洗浄終了時に電磁開閉弁８０を閉じる。
【００４２】
このため洗浄していない時に洗浄液タンク１４から洗浄液がパイプ３０や洗浄皿２０Ａに流出することがないし、逆に洗浄皿２０Ａから汚れた洗浄液が洗浄液タンク１４に逆流することがない。なおこの洗浄皿２０Ａには噴出口３０Ａよりも高い位置にオーバーフロー口８２を設け、洗浄皿２０Ａ内の洗浄液面が上昇するとオーバーフロー口８２から排液タンク４６に導かれる。このため洗浄液が洗浄皿２０Ａから溢れることがない。。
【実施例４】
【００４３】
図７は他の実施例を示す側断面図、図８はその電気かみそりセット動作の説明図である。この実施例４は、洗浄液輸送手段として電動ポンプ９０を用いるものである。すなわち洗浄液タンク１４とヒーター３８の途中でパイプ３０に電動ポンプ９０を設け、洗浄中だけこの電動ポンプ９０を作動させて洗浄液をヒーター３８に送り、ここで加熱して洗浄皿２０に送るものである。従って制御部６２Ｃにはこの電動ポンプ９０を制御するポンプ制御部６３Ａを設ける。
【００４４】
またこの実施例４では、パイプ３０の噴出口３０Ａを洗浄皿２０内に突出させると共にその周縁にパッキン９２を取付けた。一方電気かみそり１８のヘッド部４０の側面には、その内部と外部とを連通する注液口９４を設け、電気かみそり１８のセット時にこの注液口９４が噴出口３０Ａに接続されるようにしたものである。パッキン９２はこの時に洗浄液が周囲に漏れるのを防ぐ。
【００４５】
このためこの実施例４では、洗浄皿２０Ｂの開口縁には噴出口３０Ａと反対側に突起９６を設けた。そして図８に示すように、電気かみそり１８を傾けて洗浄皿２０Ｂに挿入し、ヘッド部４０の上方を突起９６に当てつつヘッド部４０と反対側の上部を右側（矢印Ａ方向）に回動させることにより注液口９４を噴出口３０Ａに押圧するようにした。この状態でヘッド部４０は、洗浄皿２０Ｂの底に設けた突起４２、４２に係合し位置決めされる。
【００４６】
この結果、ヒーター３８で加熱された洗浄液はパイプ３０の噴出口３０Ａから注液口９４を通ってヘッド部４０内に入り、ヘッド部４０の内部を洗浄して外刃のスリットや髭導入孔から出て洗浄皿２０Ｂ内に入る。この洗浄後の汚れた洗浄液は洗浄皿２０Ａの排液口４４から排液タンク４６に集められる。
【図面の簡単な説明】
【００４７】
【図１】本発明の実施例１の側断面図
【図２】同じくその洗浄中を一部省いて示す側断面図
【図３】同じくその配線概略図
【図４】同じく動作流れ図
【図５】他の実施例２を示す側断面図
【図６】他の実施例３を示す側断面図
【図７】他の実施例４を示す側断面図
【図８】実施例４の電気かみそりセット動作を示す説明図
【符号の説明】
【００４８】
１０  洗浄器本体
１４  洗浄液タンク
１８  電気かみそり
２０、２０Ａ、２０Ｂ  洗浄皿
３０  パイプ
３０Ａ  先端
３２  逆止弁
３４  上端
３８  ヒーター
３９  温度センサ
４０  ヘッド部
４２  突起（ヘッド部位置決め用）
４４  排液口
４６  排液タンク
６２、６２Ａ  制御部
６３  ヒーター制御部
６３Ａ  ポンプ制御部
７０  送風器
８０  電磁開閉弁
８２  オーバーフロー口
９０  電動ポンプ
９４  注液口
【図１】
2008061880.tif 000003
【図２】
2008061880.tif 000004
【図３】
2008061880.tif 000005
【図４】
2008061880.tif 000006
【図５】
2008061880.tif 000007
【図６】
2008061880.tif 000008
【図７】
2008061880.tif 000009
【図８】
2008061880.tif 000010